(57)【特許請求の範囲】
【請求項１】
水を電気分解させて水素水を製造する水素水製造装置において、
前記水が満たされる容器と、
前記容器内に提供される第１及び第２電極と、
前記第１及び第２電極に直流電源を供給する電源部とを含み、
前記第１電極は、
第１ベース電極と、
一端がそれぞれ前記第１ベース電極と連結され、前記第１ベース電極の長さ方向に沿って前記第１ベース電極の両側に順次に交互配置され、それぞれ同じ中心と相異なる大きさの半径を有する複数の第１分岐電極と、を含み、
前記第２電極は、
第２ベース電極と、
一端がそれぞれ前記第２ベース電極と連結され、前記第２ベース電極の長さ方向に沿って前記第２ベース電極の両側に順次に交互配置され、それぞれ同じ中心と相異なる大きさの半径を有する複数の第２分岐電極を含み、
前記第１電極と前記第２電極は、
前記第１分岐電極の間の空間に前記第２分岐電極がそれぞれ位置するように配置される水素水製造装置。
【請求項２】
前記水のインピーダンス(Ｉｍｐｅｄａｎｃｅ)を測定する感知部と、
前記感知部から前記水のインピーダンスに対する検出信号を受け取り、前記検出信号に基づいて前記水の電気分解過程を制御する制御部と、をさらに含むことを特徴とする請求項１に記載の水素水製造装置。
【請求項３】
前記制御部は、前記第１及び第２電極に供給される前記直流電源の電圧が調節されるように、前記電源部を制御する請求項２に記載の水素水製造装置。
【請求項４】
前記感知部は、前記第１電極と第２電極との間に流れる電流を測定して、前記水のインピーダンスを測定する請求項２に記載の水素水製造装置。
【請求項５】
前記直流電源の供給をオン／オフし、前記直流電源のプラス（＋）極性及びマイナス(−)極性を切り替えるスイッチング部とさらに含み、
前記制御部は、
前記水の電気分解時間が調節されるように、前記スイッチング部のオン／オフを制御する請求項２に記載の水素水製造装置。
【請求項６】
前記制御部から制御信号を受け取り、前記電気分解の経過時間及び終了を表示する表示部をさらに含むことを特徴とする請求項２に記載の水素水製造装置。
【請求項７】
前記容器内に提供され、前記水との接触による溶解反応により水素を発生させるマグネシウム水素発生器をさらに含むことを特徴する請求項１に記載の水素水製造装置。
【請求項８】
前記容器内に提供され、酸素、二酸化炭素、塩素及び揮発性物質を含む気体を吸着除去するフィルターをさらに含むことを特徴とする請求項１に記載の水素水製造装置。
【請求項９】
前記第１及び第２電極を支持し、前記容器の底壁に形成されたホールを通じて前記底壁に結合される電極支持部材と、
前記ホールを貫通する前記電極支持部材の一部分に提供され、前記第１及び第２電極と電気的にそれぞれ連結される第１及び第２通電部材と、
前記容器が載せられるベースと、
前記ベースの上面に提供され、前記第１及び第２通電部材と前記電源部とを電気的に連結する第１及び第２コネクタと、をさらに含むことを特徴とする請求項１に記載の水素水製造装置。
【請求項１０】
前記ホールを通じる前記水の漏れを防止するように、前記底壁の上面と前記電極支持部材との間に提供される防水パッドをさらに含むことを特徴する請求項９に記載の水素水製造装置。
【発明の詳細な説明】
【技術分野】
【０００１】
本発明は水素水製造装置に関し、より詳しくは、電気分解により発生する水素を原水中に溶解させて水素水を製造する装置に関する。
【背景技術】
【０００２】
一般に、水素水は、磁化処理、超音波処理、鉱石処理、ミネラル処理、電気分解などの方法により製造させる。これら方法中、電気分解方法が主に用いられ、電気分解により製造された水素水を電解水素水と呼ぶ。
【０００３】
電解水素水はアルカリイオン水、水素豊富水などと呼ばれ、飲用水、美容、産業および農業などに用いられる。具体的に、電解水素水はアトピーのような皮膚炎、皮膚美白、老化、生活習慣病などに効果があり、老化防止と保湿効果により化粧品にも用いられることができ、半導体およびディスプレイの技術分野で超純水より優れた洗浄力を有し、農業(水耕栽培を含む)分野で成長加速および病虫害予防効果があり、また、食品類の長期原形保存性にも優れた効果を有する。
【０００４】
しかしながら、従来の水素水製造装置は次のような問題点がある。
【０００５】
電解容器の内部が、金属電極および活性炭多孔質体を電極とする電解室と、活性炭多孔質体による浄化室を兼ね、特に、活性炭多孔質体を電極として用いることにより、原水の抵抗による電圧降下が大きくなり、これにより、電解効率が低下する。
【０００６】
電解効率を高めるために電流密度を上昇させると、活性炭多孔質体の表面に改質が発生して電気特性が変わり易い。
【０００７】
電解電圧として直流電圧を用いるため、原水中に溶解されているカルシウムから炭酸カルシウムが生成され、陰極の表面に析出して電解効率に悪い影響を及ぼしたり、活性炭多孔質体に付着されてろ過性能に悪い影響を与える。このため、定期的に酸性薬剤(例えば、クエン酸など)を用いて電極を洗浄し、炭酸カルシウムを取り除く補修作業が必要である。
【０００８】
電解電流値を高くすると、炭酸カルシウムが生成しやすくなるので、２００ｍＡ以下の弱い電流で長時間にかけて電気分解を行う必要があり、短い時間で多量の水素ガスを発生することが困難である。
【発明の概要】
【発明が解決しようとする課題】
【０００９】
本発明の実施形態は、電解効率を向上させ、電力消耗を減らすこともでき、製作費を最小化することができる水素水製造装置を提供することを、決しようとする課題とする。
【課題を解決するための手段】
【００１０】
本発明の一側面によれば、水を電気分解させて水素水を製造する水素水製造装置において、前記水が満たされる容器と、前記容器内に提供される第１及び第２電極と、前記第１及び第２電極に直流電源を供給する電源部と、前記直流電源の供給をオン／オフし、前記直流電源のプラス（＋）極性及びマイナス(−)極性を切り替えるスイッチング部と、前記水のインピーダンスを測定する感知部と、前記感知部から前記水のインピーダンスに対する検出信号を受け取り、前記検出信号に基づいて前記水の電気分解過程を制御する制御部と、を含む水素水製造し装置を提供することができる。
【００１１】
前記制御部は、前記水の電気分解時間が調節されるように、前記スイッチング部のオン／オフを制御することができる。
【００１２】
前記制御部は、前記第１及び第２電極に供給される前記直流電源の電圧が調節されるように、前記電源を制御することができる。
【００１３】
前記感知部は、前記第１電極と前記第２電極との間に流れる電流を測定して、前記水のインピーダンスを測定することができる。
【００１４】
前記水素水製造装置は、前記制御部から制御信号を受け取り、前記電気分解の経過時間及び終了を表示する表示部をさらに含むことができる。
【００１５】
前記第１電極は、第１ベース電極と、一端がそれぞれ前記第１ベース電極と連結され、前記第１ベース電極の長さ方向に沿って前記第１ベース電極の両側に順次に交互配置され、それぞれ同じ中心と相異なる大きさの半径を有する複数の第１分岐電極と、を含み、前記第２電極は、第２ベース電極と、一端がそれぞれ前記第２ベース電極と連結され、前記第２ベース電極の長さ方向に沿って前記第２ベース電極の両側に順次に交互配置され、それぞれ同じ中心と相異なる大きさの半径を有する複数の第２分岐電極と、を含む。前記第１電極と前記第２電極は、前記第１分岐電極間の空間に前記第２分岐電極がそれぞれ位置するように配置されることができる。
【００１６】
前記水素水製造装置は、前記容器内に提供され、前記水との接触による溶解反応により水素を発生させるマグネシウム水素発生器をさらに含むことができる。
【００１７】
前記水素水製造装置は、前記容器内に提供され、酸素、二酸化炭素、塩素及び揮発性物質を含む気体を吸着除去するフィルターをさらに含むことができる。
【００１８】
前記水素水製造装置は、前記水が磁化水となるように、前記水に磁気場を作用させる磁性体をさらに含むことができる。
【００１９】
前記水素水製造装置は、前記水が波動水となるように、前記水に振動を加える振動子をさらに含むことができる。
【００２０】
前記水前記水素水製造装置は、前記第１及び第２電極を支持し、前記容器の底壁に形成されたホールを通じて前記底壁に結合される電極支持部材と、前記ホールを貫通する前記電極支持部材の一部分に提供され、前記第１及び第２電極と電気的にそれぞれ連結される第１及び第２通電部材と、前記容器が載せられるベースと、前記ベースの上面に提供され、前記第１及び第２通電部材と前記電源部を電気的に連結する第１及び第２コネクタと、をさらに含むことができる。
【００２１】
前記水素水製造装置は、前記ホールを通じる前記水の漏れを防止するように、前記底壁の上面と前記電極支持部材との間に提供される防水パッドをさらに含むことができる。
【発明の効果】
【００２２】
本発明の実施形態によれば、電極にプラス（＋）極性とマイナス（−）極性を切り替えて直流電源を印加して、不純物が電極に付着することを防止することができる。
【００２３】
そして、本発明の実施形態によれば、水のインピーダンスを測定して電気分解時間を自動調節することにより、使用者の便宜性を高め、必要以上の電気分解を行わず、電力消耗を減らすことができる。
【００２４】
また、本発明の実施形態によれば、水のインピーダンスを測定して電極に印加される直流電源の電圧を調節することができる。
【００２５】
その上、本発明の実施形態によれば、電極を対称構造で配置して電解効率を向上させることができる。
【図面の簡単な説明】
【００２６】
【図１】図1は本発明の一実施形態による水素水製造装置の斜視図である。
【図２】図２は図１の容器及びベースの内部構成を示した断面図である。
【図３】図３は図１の水素水製造装置の分解斜視図である。
【図４】図４は図３の電極の平面図である。
【図５】図５は電極の結合状態を示した図である。
【図６】図６は本発明の一実施形態による水素水製造装置の電力系統及び制御系統を示したブロック図である。
【符号の説明】
【００２７】
１０：容器  
２０：カバー
３０：ベース
３３：入力部
３５：表示部
１００ａ：第１電極
１００ｂ：第２電極
２００：電極支持部材
２７０：放水パッド
２９０：磁性体
３００ａ：第１通電部材
３００ｂ：第２通電部材
４００：フィルター
４２０：マグネシウム水素発生器
５００：振動子  
６００ａ：第１コネクタ
６００ｂ：第２コネクタ  
７１０：制御部
７２０：電源部  
７３０：スイッチング部
７４０：感知部
【発明を実施するための形態】
【００２８】
本発明は各種の実施形態と様々な変形例とを含むことができ、以下、特定の実施形態を図面に示し、詳細な説明において詳しく説明する。しかしながら、これらは本発明を特定な実施形態に限定することではなく、本発明の思想及び技術範囲に含まれるすべての変形例、均等物乃至代替物を含むことと理解すべきである。本発明の説明において、関連公知技術に対する具体的な説明が本発明の要旨を損なうと判断される場合、その詳細な説明は省略する。
【００２９】
本明細書に用いられる用語は実施形態を説明するためのものでって、本発明を限るためのものではない。本明細書において、単数で表れた用語は特に言及しないかぎり、複数形態も含む。
【００３０】
以下、本発明の実施形態を添付図面に参照して詳しく説明する。添付図面の参照において、同じまたは対応する構成要素は同じ図面番号を付け、これに対する重複の説明は省略する。
【００３１】
図１は本発明の一実施形態による水素水製造装置１の斜視図である。
【００３２】
図１を参照すると、水素水製造装置１は、水の電気分解により水素を生成し、生成された水素を再び水に溶解させて水素水を製造するためのものであって、容器１０と、カバー２０と、ベース３０と、を含む。
【００３３】
容器１０は上端が開放された中空円筒形状を有し、電気分解される水を収容する。容器１０は、水の電気分解により生成される水素が水に溶存することを目で確認できるように、透明な材質からなる。
【００３４】
容器１０の側壁には、使用者が容器１０を把持する手持ち１２が結合されることができ、容器１０の上端部には、水素水が排出される排出口１４が形成される。
【００３５】
カバー２０は容器１０の開放された上部を開閉する。
【００３６】
ベース３０は、容器１０の載せられる据え置部３２と、入力部３３及び表示部３５が設けられる入出力部３６と、を含むことができる。置き換え部３２の内側には電力系統及び制御系統が提供され、電力系統及び制御系統は容器１０内の電極（図示せず）に水の電極分解のための直流電源を提供する。
【００３７】
入力部３３はボタンの形態として提供されることができ、入力部３３の圧押により水素水製造装置１の動作が開始する。表示部３５は複数の発光ダイオード（ＬＥＤ)として提供されることができ、水素水製造装置１の動作開始とともに点灯され、水素水製造装置１の動作進行に応じて一つずつ次第に消灯されることができる。
【００３８】
図２は図１の容器及びベースの内部構成を示した断面図である。図３は図１の水素水製造装置の分解斜視図である。図４は図３の電極の平面図である。また、図５は電極の結合状態を示した図である。
【００３９】
図２乃至図５を参照すると、容器１０の内側には第１及び第２電極１００ａ，１００ｂが提供される。第１及び第２電極１００ａ，１００ｂは白金めっきのチタン材質からなることができる。
【００４０】
例えば、図４に示したように、第１電極１００ａは第１ベース電極１００ａと複数の第１分岐電極１２０ａ，１３０ａ，１４０ａ，１５０ａを含むことができる。第１ベース電極１１０ａは棒状を有することができ、第１分岐電極１２０ａ，１３０ａ，１４０ａ，１５０ａは、同じ中心を有し相異なる大きさの半径を有する半円状として提供されることができる。第１分岐電極１２０ａ，１３０ａ，１４０ａ，１５０ａは第１ベース電極１１０ａの長さ方向に沿って第１ベース電極１１０ａの両側に順次に交互配置され、その一端が第１ベース電極１１０ａに連結されることができる。
【００４１】
第２電極１１０ｂは第２ベース電極１１０ｂと複数の第２分岐電極１２０ｂ，１３０ｂ，１４０ｂ，１５０ｂを含むことができる。第２ベース電極１１０ｂは棒状を有することができ、第２分岐電極１２０ｂ，１３０ｂ，１４０ｂ，１５０ｂは、同じ中心を有し相異なる大きさの半径を有する半円状として提供されることができる。第２分岐電極１２０ｂ，１３０ｂ，１４０ｂ，１５０ｂは第２ベース電極１１０ｂの長さ方向に沿って第２ベース電極１１０ｂの両側に順次に交互配置され、その一端が第２ベース電極１１０ｂに連結されることができる。
【００４２】
上述したような構成を有する第１電極１００ａと第２電極１００ｂは、第１分岐電極１２０ａ， １３０ａ，１４０ａ，１５０ａの間の空間に第２分岐電極１２０ｂ，１３０ｂ，１４０ｂ，１５０ｂがそれぞれ位置するように配置することができる。このような配置構造により、第１分岐電極１２０ａ，１３０ａ，１４０ａ，１５０ａと第２分岐電極１２０ｂ，１３０ｂ，１４０ｂ，１５０ｂは互いに対称をなすことができる。第１分岐電極１２０ａ，１３０ａ，１４０ａ，１５０ａと第２分岐電極１２０ｂ，１３０ｂ，１４０ｂ，１５０ｂが互いに対称をなすと、水の電気分解による水素が一定に生成されて電解効率を向上させることができる。
【００４３】
第１及び第２電極１００ａ，１００ｂは電極支持部材２００により支持されることができる。電極支持部材２００は、上部支持部材２２０、電極キャップ２４０及び下部支持部材２６０を含むことができる。上部支持部材２２０と電極キャップ２４０は容器１０の内側に提供され、下部支持部材２６０は容器１０の底壁の下に提供される。
【００４４】
上部支持部材２２０は、円形板状の水平板２２２と、水平板２２２の縁周りから上方に垂直に伸びる側板２２４と、水平板２２２の中心領域から下方に垂直に伸びる結合部２２６と、を有する。
【００４５】
結合部２２６は円柱形状を有することができる。結合部２２６の外周面には雄ねじ２２７が形成されるか、放水及び固定のためにシリコンＯリングが挿入されることができる。そして、水平板２２２と結合部２２６には、後述する第１及び第２通電部材３００ａ及び３００ｂが挿入結合される第１及び第２結合ホール２２８ａ，２２８ｂが貫通形成される。
【００４６】
第１及び第２電極１００ａ，１００ｂは上部支持部材２２０の水平板２２２の上に載せられ、第１及び第２締結ボルト２２９ａ，２２９ｂにより水平板２２２に結合されることができる。水平板２２２に結合された第１及び第２電極１００ａ，１００ｂの上部には電極キャップ２４０が結合されることができる。
【００４７】
下部支持部材２６０は円形板状として提供されることができ、下部支持部材２６０の中心領域には上部支持部材２２０の結合部２２６の雄ねじ２２７が締結される雌ねじ２６２が形成される。
【００４８】
第１及び第２電極１００ａ，１００ｂが結合された上部支持部材２２０の結合部２２６は容器１０の底壁に形成されたホール１６に貫通挿入される。この際、容器１０の底壁と上部支持部材２２０の水平板２２２との間には、ホール１６を通じる水の漏れを防止するように、放水パッド２７０が提供されることができる。
【００４９】
下部支持部材２６０は容器１０の底壁の下方に配置され、下部支持部材２６０の雌ねじ２４２には結合部２２６の雄ねじ２２７が締結される。また、下部支持部材２６０には、容器１０内の水が磁化水となるように、水に磁気場を作用させる、磁性体２９０が提供されることができる。
【００５０】
第１及び第２電極１００ａ，１００ｂは、第１及び第２通電部材３００ａ，３００ｂによりベース３０に提供された電力系統から直流電源を供給される。第１通電部材３００ａは第１電極１００ａに電気的に連結され、第２通電部材３００ｂは第２電極１００ｂに電気的に連結されることができる。第１通電部材３００ａと第２通電部材３００ｂの構成は同じであるため、以下、第１通電部材３００ａのみについて説明する。
【００５１】
第１通電部材３００ａは、第１電源供給ピン３１０ａ、第１スプリング３２０ａ及び第１連結ボルト３３０ａと、を含むことができる。第１電源供給ピン３１０ａ、第１スプリング３２０ａ及び第１連結ボルト３３０ａは、上部支持部材２２０の第１結合ホール２２８ａに結合される。具体的に、第１電源供給ピン３１０ａは第１結合ホール２２８ａの上端部を通じて挿入された後、第１結合ホール２２８ａの下端部に位置し、第１電源供給ピン３１０ａの下端は外部に露出される。第１スプリング３２０ａは第１電源供給ピン３１０ａの上端と接触するように、第１結合ホール２２８ａに挿入され、第１連結ボルト３３０ａは第１スプリング３２０ａの上端と接触するように、第１結合ホール２２８ａの上端部に結合される。また、第１連結ボルト３３０ａの上端は第１電極１００ａと接触する。
【００５２】
第１連結ボルト３３０ａは円柱状を有することができる。第１連結ボルト３３０ａの外周面には雄ねじが形成され、第１連結ボルト３３０ａの内側には雌ねじが形成される。第１連結ボルト３３０ａの雄ねじは上部支持部材２２０の第１結合ホール２２８ａに形成された雌ねじに締結され、第１連結ボルト３３０ａの雌ねじには、第１電極１００ａの固定のための第１締結ボルト２２９ａが締結される。
【００５３】
ここで、説明しない参照番号３１０ｂは第２通電部材３００ｂの第２電源供給ピンであり、参照番号３２０ｂは第２通電部材３００ｂの第２スプリングであり、また、参照番号３３０ｂは第２通電部材３００ｂの第２連結ボルトである。
【００５４】
図３に示したように、カバー２０は容器１０の開放された上部を開閉する。また、カバー２０にはフィルター４００とマグネシウム水素発生器４２０が結合されることができる。フィルター４００とマグネシウム水素発生器４２０はカバー２０から容器１０に向かう方向に突出し、容器１０に満たされる水に浸ることができる。
【００５５】
フィルター４００には活性炭、イライト(Ｉｌｌｉｔｅ)、ゼオライト（Ｚｅｏｌｉｔｅ）などの脱臭剤が内蔵され、容器１０の水中に含まれた酸素、二酸化炭素、塩素または揮発性物質を含む気体を吸着除去することができる。
【００５６】
マグネシウム水素発生器４２０はマグネシウム単独またはマグネシウムとサンゴ、麦飯石、セラミックス、イライト、ゼオライトのうちの少なくともいずれか一つ以上を混合して円形状、粒子形状、棒形状または板状として製造されることができ、プラスチックまたはステンレス材質の圧力容器に収納されることができる。マグネシウム水素発生器４２０は容器１０内の水との接触による溶解反応により水素を発生させ、水の溶存水素濃度を増加させることができる。
【００５７】
一方、ベース３０の据え置部３２には、容器１０が載せられる。また、ベース３０の入出力部３６または据え置部３２には、容器１０内の水が波動水となるように、水に振動を加える、振動子５００が提供されることができる。ここで、振動子５００の周波数は数十のＨｚ帯域の低周波数となりえる。
【００５８】
ベース３０の据え置部３２の上面には、第１及び第２コネクタ６００ａ及び６００ｂが提供され、据え置部３２の内側には、直流電源を供給する電力系統とこれを制御する制御系統とが提供されることができる。
【００５９】
第１コネクタ６００ａは第１電源供給ピン３１０ａと接触して第１電極１００ａを電力系統に電気的に連結することができ、第２コネクタ６００ｂは第２電源供給ピン３１０ｂと接触して第２電極１００ｂを電力系統に電気的に連結することができる。
【００６０】
図６は本発明の一実施形態による水素水製造装置の電力系統及び制御系統を示したブロック図である。
【００６１】
図６を参照すると、入力部３３は制御部７１０へ動作開始信号を伝送する。動作開始信号が制御部７１０に伝送されると、制御部７１０は電源部７２０及びスイッチング部７３０の動作を制御し、水の電気分解のための直流電源が第１及び第２電極１００ａ，１００ｂに供給されるようにする。
【００６２】
電源部７２０は第１及び第２電極１００ａ，１００ｂに電極駆動のための直流電源を供給し、制御部７１０に制御部駆動のための直流電源を供給する。
【００６３】
電源部７２０と第１及び第２電極１００ａ，１００ｂとの間にはスイッチング部７３０が提供される。スイッチング部７３０は第１及び第２電極１００ａ，１００ｂの駆動のための直流電源の供給をオン/オフし、第１及び第２電極１００ａ，１００ｂに対する直流電源のプラス（＋）極性及びマイナス（−）極性を周期的に切り替えることができる。また、極性の周期的な切り替えにおいては、第１及び第２電極１００ａ，１００ｂに対して一定の時間、直流電源の供給を遮断することもできる。
【００６４】
スイッチング部７３０により第１及び第２電極１００ａ，１００ｂに印加される直流電源の極性が周期的に切り替わると、炭酸カルシウムのような不純物が第１及び第２電極１００ａ及び１００ｂに付着することが防止され、これにより、電解効率が向上されることができる。
【００６５】
感知部７４０は、第１電極１００ａと第２電極１００ｂとの間に流れる電流を測定して、電気分解される水のインピーダンスを測定することができる。水のインピーダンスに対する検出信号は制御部７１０に伝えられる。
【００６６】
制御部７１０は感知部７４０から水のインピーダンスに対する検出信号を受け取り、検出信号に基づいて電源部７２０とスイッチング部７３０の制御のための制御信号を生成することができる。
【００６７】
例えば、制御部７１０は、感知部７４０の検出信号に基づいて、第１及び第２電極１００ａ，１００ｂに供給される直流電源の電圧が調節されるように電源部７２０を制御することができる。水のインピーダンスが既に設定された基準値より大きい場合、すなわち、水の電気分解に対する抵抗が大きい場合、制御部７１０は電圧を高めて強い電流を供給するように電源部７２０を制御することができる。一方、水のインピーダンスが既に設定された基準値より小さい場合、すなわち、水の電気分解に対する抵抗が小さい場合、制御部７１０は電圧を下げて弱い電流を供給するように電源部７２０を制御することができる。
【００６８】
また、制御部７１０は、感知部７４０の検出信号に基づいて、水の電気分解時間が調節されるように、スイッチング部７３０のオン/オフを制御することができる。水のインピーダンスが既に設定された基準値より大きい場合、制御部７１０は電気分解時間が長くなるように、スイッチング部７３０のオン/オフを制御することができる。一方、水のインピーダンスが既に設定された基準値より小さい場合、制御部７１０は電気分解時間が短縮するようにスイッチング部７３０のオン/オフを制御することができる。
【００６９】
表示部３５は複数の発光ダイオード(ＬＥＤ)を備えてなり、制御部７１０の制御信号により水の電解分解過程の開始、進行及び終了を表示することができる。表示部３５は、入力部３３が制御部７１０に動作開始信号を伝送すると、すべてが点灯され、水の電化分解過程の進行中には時間の経過に応じて一つずつ次第に消灯されることができる。そして、表示部３５は電気分解過程が終了すると、すべてが消灯されることができる。
【００７０】
一方、図６には示していないが、図２乃至５を参照して説明した第１及び第２通電部材３００ａ,３００ｂと第１及び第２コネクタ６００ａ,６００ｂはスイッチング部７３０と第１及び第２電極１００ａ,１００ｂとの間に位置する。
【００７１】
以上、本発明の実施形態について説明したが、該当技術分野における通常の知識を持つ者なら特許請求の範囲に記載された本発明の思想を逸脱しない範囲で、構成要素の付加、変更、削除又は追加などにより、本発明を様々に修正及び変更させることができ、この場合も本発明の権利範囲に含まれる。
【図１】
0005827418.tif 000002
【図２】
0005827418.tif 000003
【図３】
0005827418.tif 000004
【図４】
0005827418.tif 000005
【図５】
0005827418.tif 000006
【図６】
0005827418.tif 000007